【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  （ａ）少なくとも１種のエラストマー、及び（ｂ）少なくとも１種のポリマーによって少なくとも部分的にコーティングされた改質炭素生成物を含むポリマーコーティングされた改質炭素生成物を含有する、エラストマー組成物。
【請求項２】  前記改質炭素生成物が、炭素生成物に結合した少なくとも１つの有機基を有する、請求項１に記載のエラストマー組成物。
【請求項３】  前記有機基が、イオン性基、イオン化可能基又は極性基によって置換されている、請求項２に記載のエラストマー組成物。
【請求項４】  前記有機基が、スルホン酸基若しくはその塩、スルフィン酸基若しくはその塩、カルボン酸基若しくはその塩、ホスホン基若しくはその塩、第４級アンモニウム基、置換された若しくは置換されていないスルホフェニル基若しくはその塩、置換された若しくは置換されていない（ポリスルホ）フェニル基若しくはその塩、置換された若しくは置換されていないスルホナフチル基若しくはその塩、又は置換された若しくは置換されていない（ポリスルホ）ナフチル基若しくはその塩である、請求項２に記載のエラストマー組成物。
【請求項５】  前記有機基が、置換された又は置換されていないｐ−スルホフェニル基又はその塩である、請求項２に記載のエラストマー組成物。
【請求項６】  前記有機基が、ｐ−Ｃ６Ｈ４ＳＯ３Ｎａである、請求項２に記載のエラストマー組成物。
【請求項７】  前記有機基が、少なくとも１つの芳香族基又はＣ１〜Ｃ１２のアルキル基を有し、この芳香族基又はアルキル基が前記炭素生成物に直接に結合している、請求項２に記載のエラストマー組成物。
【請求項８】  前記少なくとも１種のポリマーが単層で存在する、請求項１〜７のいずれかに記載のエラストマー組成物。
【請求項９】  前記少なくとも１種のポリマーが複数の層で存在し、ここで前記少なくとも１種のポリマーが、それぞれの層において同じ又は異なっている、請求項１〜７のいずれかに記載のエラストマー組成物。
【請求項１０】  前記ポリマーが、ポリエチレン、ポリ（塩化ビニル）、ポリイソブチレン、ポリスチレン、ポリカプロラクタム（ナイロン）、ポリイソプレン、ポリアミド、ポリカーボネート、高分子電解質、ポリエステル、ポリエーテル、（ポリヒドロキシ）ベンゼン、ポリイミド、硫黄を含有するポリマー、ポリオレフィン、ポリメチルベンゼン、ポリスチレン、スチレンコポリマー、アセタールポリマー、アクリルポリマー、アクリロニトリルポリマー及びコポリマー、ハロゲンを含有するポリオレフィン、フルオロポリマー、イオノマーポリマー、ケトン基を有するポリマー、液晶ポリマー、ポリアミド−イミド、オレフィン二重結合を有するポリマー、ポリオレフィンコポリマー、ポリフェニレンオキシド、ポリウレタン、熱可塑性エラストマー、シリコーンポリマー、アルキド、エポキシ、不飽和ポリエステル、ビニルエステル、又は尿素−、メラミン−若しくはフェノール−ホルムアルデヒド樹脂である、請求項１〜９のいずれかに記載のエラストマー組成物。
【請求項１１】  前記少なくとも１種のポリマーが、前記改質炭素生成物を実質的にコーティングしている、請求項１〜１０のいずれかに記載のエラストマー組成物。
【請求項１２】  前記少なくとも１種のポリマーが、前記改質炭素生成物を部分的にコーティングしている、請求項１〜１０のいずれかに記載のエラストマー組成物。
【請求項１３】  前記少なくとも１種のポリマーの厚さが約１ｎｍ〜１００ｎｍである、請求項１〜１２のいずれかに記載のエラストマー組成物。
【請求項１４】  前記改質炭素生成物が、炭素相とケイ素含有種相とを有する凝集体、炭素相と金属含有種相とを有する凝集体、又は少なくとも一種の部分的にシリカコーティングされたカーボンブラックである、請求項１〜１３のいずれかに記載のエラストマー組成物。
【請求項１５】  前記炭素生成物が、カーボンブラック、グラファイト、ガラス質カーボン、活性カーボン、活性化化学種、炭素繊維、又はそれらの混合である、請求項１〜１３のいずれかに記載のエラストマー組成物。
【請求項１６】  前記炭素生成物がカーボンブラックである、請求項１５に記載のエラストマー組成物。
【請求項１７】  前記少なくとも１種のエラストマーが、加硫組成物、熱可塑性加硫ゴム、熱可塑性エラストマー、熱可塑性ポリオレフィン、又はそれらの組み合わせを含む、請求項１〜１６のいずれかに記載のエラストマー組成物。
【請求項１８】  前記少なくとも１種のエラストマーが、１，３−ブタジエン、スチレン、イソプレン、イソブチレン、２，３−ジメチル−１，３−ブタジエン、アクリロニトリル、エチレン、プロピレン又はそれらの組み合わせのホモ−又はコ−ポリマーを含む、請求項１〜１６のいずれかに記載のエラストマー組成物。
【請求項１９】  （ａ）少なくとも１種のエラストマー、及び（ｂ）少なくとも１種のポリマーによって実質的にそれぞれコーティングされた複数のポリマーコーティングされた改質炭素生成物を含有する、請求項１〜１８のいずれかに記載のエラストマー組成物。
【請求項２０】  （ａ）少なくとも１種のエラストマー、及び（ｂ）実質的に均一な厚さのポリマーコーティングをそれぞれ有する複数のポリマーコーティングされた改質炭素生成物を含有する、請求項１〜１９のいずれかに記載のエラストマー組成物。
【請求項２１】  請求項１〜２０のいずれかに記載のエラストマー組成物で作られている物品。
【請求項２２】  工業的なゴム生成物、シール、タイミングベルト、動力伝達ベルト、気密用充填材、押出成型品、タイヤ、又はタイヤ部品である、請求項２１に記載の物品。
【請求項２３】  タイヤのトレッド、タイヤのアンダートレッド、タイヤのサイドウォール、ワイヤスキム、タイヤのインナーライナー、タイヤのビード、タイヤのアペックス、又はタイヤのカーカスである、請求項２２に記載の物品。
【請求項２４】  少なくとも１種のエラストマーをポリマーコーティングされた改質炭素生成物と組み合わせることを含む、請求項１〜２０のいずれかに記載のエラストマー組成物の製造方法であって、前記ポリマーコーティングされた改質炭素生成物が、水性媒体中で、開始剤、少なくとも１種のモノマー、及び改質炭素生成物を組み合わせ、そして重合させてポリマーコーティングされた改質炭素生成物を作ることによって作られており、ここで前記モノマーが、遊離ラジカル重合によって重合することができる、請求項１〜    のいずれかに記載のエラストマー組成物の製造方法。
【請求項２５】  少なくとも１種のエラストマーとポリマーコーティングされた改質炭素生成物とを組み合わせることを含む、請求項１〜２０のいずれかに記載のエラストマー組成物の製造方法であって、前記ポリマーコーティングされた改質炭素生成物が、少なくとも１種の改質炭素生成物、少なくとも１種の溶媒及び前記溶媒に溶解可能な少なくとも１種のポリマーを組み合わせて、前記少なくとも１種のポリマーで前記少なくとも１種の改質炭素生成物を少なくとも部分的にコーティングし、そして前記少なくとも１種の改質炭素生成物への前記少なくとも１種のポリマーの堆積の後で、前記溶媒を除去することを含む方法によって作られる、請求項１〜２０のいずれかに記載のエラストマー組成物の製造方法。
【請求項２６】  少なくとも１種のエラストマーをポリマーコーティングされた炭素生成物と組み合わせることを含む請求項１〜２０のいずれかに記載のエラストマー組成物の製造方法であって、前記ポリマーコーティングされた炭素生成物が、水性媒体中で、少なくとも１種の開始剤、少なくとも１種のモノマー、少なくとも１種の改質炭素生成物、及び少なくとも１種の界面活性剤を組み合わせ、そしてエマルション重合を行ってポリマーコーティングされた改質炭素生成物を得ることによって作られており、ここで前記モノマーは、遊離ラジカル重合によって重合させることができ、且つ前記少なくとも１種の改質炭素生成物が、少なくとも１つの有機基が結合した少なくとも１種の改質炭素生成物；炭素相及びケイ素含有種相を含む少なくとも１種の凝集体；炭素相と金属含有種相とを含む少なくとも１種の凝集体；又は少なくとも１種の部分的にシリカコーティングされたカーボンブラック；又はそれらの組み合わせを含む、請求項１〜２０のいずれかに記載のエラストマー組成物の製造方法。
【請求項２７】  （ａ）少なくとも１種のエラストマーと（ｂ）少なくとも１種のポリマーコーティングされた改質炭素生成物を組み合わせることを含む、請求項１〜２０のいずれかに記載のエラストマー組成物の製造方法であって、前記生成物が、少なくとも１種の改質炭素生成物、少なくとも１種のポリマー、及び少なくとも１種の有機溶媒を組み合わせ、ここで前記少なくとも１種のポリマーが、前記少なくとも１種の溶媒中に溶解していること、及び前記少なくとも１種の溶媒を除去して前記少なくとも１種のポリマーでコーティングされた改質炭素生成物を回収することを含む方法によって作られている、請求項１〜２０のいずれかに記載のエラストマー組成物の製造方法。
【請求項２８】  エラストマーマトリックス中に分散した請求項１に記載のポリマーコーティングされた改質炭素生成物を含有するエラストマーポリマー生成物。
【請求項２９】  請求項１〜２０のいずれかに記載のエラストマー組成物及びワックスを含有する、エラストマーマスターバッチ。
【請求項３０】  十分な量のポリマーコーティングされた改質炭素生成物を、エラストマー生成物の製造の間に導入することを含む、エラストマー組成物の衝撃強さを増加させる方法であって、ここで前記ポリマーコーティングされた改質炭素生成物が、少なくとも１種のポリマーによって少なくとも部分的にコーティングされた改質炭素生成物を含む、エラストマー組成物の衝撃強さを増加させる方法。
【請求項３１】  十分な量のポリマーコーティングされた改質炭素生成物を、エラストマー組成物の製造の間に導入することを含む、エラストマー組成物を含むタイヤ部品の衝撃強さを増加させる方法であって、ここで前記ポリマーコーティングされた改質炭素生成物が、少なくとも１種のポリマーによって少なくとも部分的にコーティングされた改質炭素生成物を含む、エラストマー組成物を含むタイヤ部品の衝撃強さを増加させる方法。
【請求項３２】  十分な量のポリマーコーティングされた改質炭素生成物を、エラストマー組成物の製造の間に導入することを含む、エラストマー組成物の引張強さを増加させる方法であって、ここで前記ポリマーコーティングされた改質炭素生成物が、少なくとも１種のポリマーによって少なくとも部分的にコーティングされた改質炭素生成物を含む、エラストマー組成物の引張強さを増加させる方法。
【請求項３３】  十分な量のポリマーコーティングされた改質炭素生成物を、エラストマー組成物の製造の間に導入することを含む、エラストマー組成物を含むタイヤ部品の引張強さを増加させる方法であって、ここで前記ポリマーコーティングされた改質炭素生成物が、少なくとも１種のポリマーによって少なくとも部分的にコーティングされた改質炭素生成物を含む、エラストマー組成物を含むタイヤ部品の引張強さを増加させる方法。
【請求項３４】  （ａ）少なくとも１種のエラストマー、及び（ｂ）少なくとも１種のポリマーによって少なくとも部分的にコーティングされた改質顔料を含むポリマーコーティングされた改質顔料を含有する、エラストマー組成物。